(57)【要約】 【課題】階段天井の改修作業等の作業日毎に階段仮設足場の設置作業及び解体・撤去作業を行なう必要性を解消するとともに、作業性が良好な水平作業床を階段仮設足場によって形成する。【解決手段】階段(S)の天井部分(C)の施工のための階段仮設足場(1)は、階段の側部帯域（α）において階段の踏面に立設される複数の支柱(2)と、支柱の間に架設され、階段勾配方向に延びる段付き斜行梁(4)と、階段の両側の支柱の間に架設され、階段の幅方向に延びる横架材(3)と、階段の幅方向に配向され、作業床を形成する足場板(5)とを有する。段付き斜行梁は、足場板を支承する複数の水平部分(43)を階段状に配列してなる足場板支持体を有する。足場板は、足場板支持体に支承され、天井構造体又は天井面(C)の下側に延在する階段状の作業床を階段の上部空間に形成する。【選択図】図３
2016204982.tif 000002
【特許請求の範囲】
【請求項１】
階段の天井部分の施工のための階段仮設足場において、
階段の勾配方向及び幅方向に間隔を隔てて階段の踏面に立設され、階段の側壁近傍又は手摺近傍の側部帯域に配置される支柱と、
前記支柱に支持されて該支柱の間に架設され、両側の前記側部帯域において前記勾配方向に延びる段付き斜行梁と、
階段の両側の前記支柱に支持されて該支柱の間に架設され、階段の幅方向に延びる横架材と、
階段の幅方向に配向され、前記天井部分の下側に作業床を形成する足場板とを有し、
前記斜行梁は、前記足場板を支承する複数の水平部分を階段状に配列してなる足場板支持体を有し、
前記足場板は、前記足場板支持体に支承され、前記天井部分の下側に延在する階段状の作業床を階段の上部空間に形成することを特徴とする階段仮設足場。
【請求項２】
前記勾配方向に延びる段付き斜行小梁が前記横架材の間に架設され、前記斜行小梁の各端部は、前記横架材によって支承され、該斜行小梁は、前記足場板を支承する複数の水平部分を階段状に配列してなる足場板支持体を有することを特徴とする請求項１に記載の階段仮設足場。
【請求項３】
前記支柱は、前記勾配方向に所定間隔を隔てて並列配置された複数の縦管を補強部材によって相互連結した複合構造の鋼製組立柱からなることを特徴とする請求項１又は２に記載の階段仮設足場。
【請求項４】
前記支柱は、高さ調節可能なジャッキ式柱脚部を有することを特徴とする請求項３に記載の階段仮設足場。     
【請求項５】
前記横架材は、ラチス構造又はトラス構造の鋼製組立梁からなることを特徴とする請求項１乃至４のいずれか１項に記載の階段仮設足場。
【請求項６】
前記横架材は、前記支柱の梁間方向スパンに相応して該横架材の長さを調節するための伸縮構造を有することを特徴とする請求項５に記載の階段仮設足場。
【請求項７】
請求項１乃至６のいずれか１項に記載された階段仮設足場を既存階段又は既設階段に設置し、前記足場板の下側に階段の常用歩行通路を形成することを特徴とする階段天井部分の施工方法。 
【発明の詳細な説明】
【技術分野】
【０００１】
本発明は、階段仮設足場に関するものであり、より詳細には、既存階段又は既設階段の天井の下地材、天井材、電気設備等を補修又は改修する補修・改修工事等のために既存階段等に設置される階段仮設足場に関するものである。
【背景技術】
【０００２】
鉄道等の公共輸送機関の駅構内や、地下街、アーケード商店街等には、不特定多数の人が利用する階段が配設される。多くの階段は、天井板等の天井材や、照明設備等を配設した天井構造体を備える。一般に、天井構造体を構成する天井材、天井下地材、照明設備等は、経年劣化等のために点検、補修又は改修等を要するので、点検、補修又は改修等のための補修・改修工事が定期的に実施される。
【０００３】
また、近年においては、天井構造体の耐震化が求められる傾向があり、既存建築物の天井構造体を補強又は改修する補強・改修工事が、比較的多くの公共施設等において実施されている。このような事情より、既存階段の天井構造体を耐震化するための補強工事又は耐震化工事が、公共輸送機関の駅構内等においても実施されている。
【０００４】
一般に、不特定多数の人が利用する公共施設又は公共輸送機関等においては、施設の利用時間帯に補修・改修工事、補強・改修工事等（以下、「改修工事等」という。）を実施し難いことから、利用者不在の深夜に改修工事等が実施される。この種の改修工事等においては、高所の天井構造体の補修、補強又は改修作業（以下、「改修作業等」という。）のために、天井面の下側に仮設足場が設置される。
【０００５】
図１及び図２は、鉄道の駅構内の既存階段等に設置された従来の階段仮設足場の構成を概略的に示す縦断面図及び正面図である。
【０００６】
図１及び図２において、床Ｆ１は、例えば、鉄道の乗降用プラットホームの床であり、床Ｆ２は、例えば、駅構内の連絡通路である。直階段形式等の既存階段Ｓ（以下、「階段Ｓ」という。）が、下階の床Ｆ１と上階の床Ｆ２との間を昇降するための昇降用歩行通路として床Ｆ１、Ｆ２の間に設けられる。階段Ｓの各段は、踏面Ｓｆ及び蹴込み面Ｓｋによって形成される。所望により、階段Ｓには、踊り場（図示せず）が設けられる。なお、「階段」は、踏面部分、踏板又は段板等の水平面(踏面)と、蹴込み板又は蹴込み部分等の起立面(蹴込み面)とを交互に形成した多段形態の構造体を意味するが、本明細書においては、「階段」は、手摺、側壁、天井、踊り場等を含む昇降歩行通路領域又は階段室全体を意味するものとする。
【０００７】
図１及び図２に示す如く、枠組足場用建枠、単管足場用建地材、或いは、楔足場用支柱等からなる支柱Ｐが階段Ｓの踏面Ｓｆ等に立設され、矢印で示す既存階段Ｓの勾配方向（昇降方向）に配向された枠組足場用鋼製布板等の足場板Ｊが支柱Ｐの間に架設される。かくして既存階段Ｓの通路領域に形成された階段仮設足場Ｔは、天井の勾配に沿った全体的に階段状の作業床を形成する。既存階段Ｓの天井構造体Ｃを補修又は改修する作業者等は、足場板Ｊ上に載り、予定された改修作業等を遂行することができる。なお、階段仮設足場Ｔの端部に位置する支柱Ｐ等は、図１に示す如く、既存階段Ｓの最上段近傍の上階床部分や、既存階段Ｓの最下段近傍の下階床部分、或いは、中間レベルの踊り場等に立設される場合もあり、従って、本明細書においては、上階又は下階の床Ｆ１、Ｆ２や、踊り場等についても、踏面Ｓｆの一種として理解すべきものとする。
【０００８】
一般に、既存階段Ｓの天井高Ｈは、通常は、約４ｍ程度であり、足場板Ｊの最低高さｈ（踏面Ｓｆから足場板Ｊまでの最小鉛直距離）は、１．５〜２ｍ程度であるにすぎない。しかも、既存階段Ｓの幅Ｗ(壁面Ｓｗ間の距離)は、通常は、３ｍ以上であるので、支柱Ｐは、階段Ｓの通路領域にも立設される。このため、階段仮設足場Ｔの下側の空間は、利用者の常用歩行通路として使用することができず、従って、階段仮設足場Ｔは、改修作業等の開始直前に設置され、改修作業等の終了直後に解体・撤去される。
【０００９】
他方、建物等の新築工事や、不特定多数の利用者の通行を考慮する必要がない建物の改修工事等においては、このような作業時間の制約がないことから、比較的長期に亘って階段仮設足場を工事現場に存置することができる。このような階段仮設足場として、足場の踊り場から懸吊した吊り足場形式の階段仮設足場が、特開2000-213161号公報及び特開平9−242328号公報（特許文献１及び２）に記載されている。また、上階又は下階の床や、階段の踊り場に枠組足場等の枠体を配設し、枠体間に傾斜足場板を懸架した構成の階段仮設足場が、実開平6-14349号公報及び実開平5-42505号公報（特許文献３及び４）に記載されている。更に、階段の両側の壁体に支持した横架材を階段の幅方向に架設し、上階側の横架材と、下階側の横架材とに傾斜足場板を懸架した構成の階段仮設足場が、特開平7-317303号公報（特許文献５）に記載されている。
【先行技術文献】
【特許文献】
【００１０】
【特許文献１】特開2000-213161号公報
【特許文献２】特開平9−242328号公報
【特許文献３】実開平6-14349号公報
【特許文献４】実開平5-42505号公報
【特許文献５】特開平7-317303号公報
【発明の概要】
【発明が解決しようとする課題】
【００１１】
利用者不在の時間帯（深夜等）にのみ実施可能な既存階段の天井改修工事等において、図１及び図２に示す従来構成の階段仮設足場を用いた場合、階段仮設足場を作業開始直前に極めて短時間に足場組立を行うとともに、作業終了直後に極めて短時間に足場解体・撤去を行わなければならず、しかも、これらの作業を各作業日毎に繰り返し実施しなければらない。一般に、改修工事等は、数日又は数週間に亘って行われるので、各作業日毎に繰り返し実行される足場設置作業及び解体・撤去作業は、多大な労力を要する極めて非効率的な作業である。加えて、仮設足場用の仮設資材及び機材は、利用者が施設を利用する時間帯には階段又はその近傍に仮置きすることができない状況の工事現場が多く、このため、作業日毎に仮設資材等の場内搬入及び場外搬出を繰り返し行う必要が生じるので、仮設資材等の搬入・搬出作業のために多大な労力及び作業時間を要するという問題がある。
【００１２】
これに対し、上記特許文献１〜５に記載された構成の階段仮設足場を階段天井の改修作業等において使用して、足場板の最低高さｈ（図１）を増大し、これにより、各作業日における階段仮設足場の設置及び解体・撤去を省略可能にすることも考慮し得る。しかし、公共交通機関等の階段は、通常の建物の階段に比べて、階段の幅や、階段全体の高低差（階高）が大きく、このため、上記特許文献１〜５に記載された階段仮設足場を公共交通機関等の階段天井の改修工事等において使用することは、仮設足場の構造強度上、極めて困難である。
【００１３】
しかも、上記特許文献１〜５に記載された階段仮設足場では、歩行通路方向に敷設された足場板が、階段全体の勾配と同等又は同程度の勾配に傾斜しているので、足場上の作業者は、重心が不安定な状態で作業を遂行せざるを得ない。しかも、この構成の階段仮設足場には、作業者が移動の際に足場上で滑り易いという問題がある。従って、仮に上記特許文献１〜５に記載された構成の階段仮設足場を公共交通機関等の階段天井の改修作業等において使用し得たとしても、作業性が悪化するという問題が生じる。
【００１４】
本発明は、このような課題に鑑みてなされたものであり、その目的とするところは、天井改修作業等の作業日毎に足場の設置作業及び解体・撤去作業を行なう必要がなく、しかも、作業性が良好な水平作業床を形成することができる階段仮設足場を提供することにある。
【課題を解決するための手段】
【００１５】
上記目的を達成すべく、本発明は、階段の天井部分の施工のための階段仮設足場において、
階段の勾配方向及び幅方向に間隔を隔てて階段の踏面に立設され、階段の側壁近傍又は手摺近傍の側部帯域に配置される支柱と、
前記支柱に支持されて該支柱の間に架設され、両側の前記側部帯域において前記勾配方向に延びる段付き斜行梁と、
階段の両側の前記支柱に支持されて該支柱の間に架設され、階段の幅方向に延びる横架材と、
階段の幅方向に配向され、前記天井部分の下側に作業床を形成する足場板とを有し、
前記斜行梁は、前記足場板を支承する複数の水平部分を階段状に配列してなる足場板支持体を有し、
前記足場板は、前記足場板支持体に支承され、前記天井部分の下側に延在する階段状の作業床を階段の上部空間に形成することを特徴とする階段仮設足場を提供する。
【００１６】
本発明の上記構成によれば、斜行梁の水平部分に支持された足場板は、作業性が良好な水平作業床を階段の上部空間に形成する。斜行梁は、全体的に階段勾配方向に延びるので、各段部に支持された足場板の下側には、全長に亘って概ね均等又は同等の高さを有し且つ階段勾配方向に延びる通路空間が形成される。また、階段架設足場の骨組は、階段の側部帯域において支柱を踏面（前述のとおり、上階及び下階の床面、踊り場の床面等を含む。）に立設し、支柱間に横架材及び斜行梁を架設することにより形成される。階段の歩行通路領域には、支柱が立設されず、階段の全幅と概ね同等又は同程度の幅を有する常用可能な通路空間が足場板の下側に形成される。このため、不特定多数の利用者が階段を利用する時間帯においても、階段仮設足場を既設階段に存置することができ、従って、改修工事等の作業日毎に足場の設置作業及び解体・撤去作業を行なう必要性が解消する。
【００１７】
好ましくは、階段勾配方向に延びる段付き斜行小梁が上記横架材の間に架設される。斜行小梁の各端部は、横架材によって支承される。斜行小梁は、上記斜行梁と同じく、上記足場板を支承する複数の水平部分を階段状に配列してなる足場板支持体を有する。このような斜行小梁を備えた階段仮設足場によれば、足場板の支点間距離が短縮することから、汎用の足場板（例えば、枠組足場用の鋼製布板等）を階段の幅方向に敷設することができるので、公共輸送機関等の階段の全幅に相応した階段仮設足場を比較的容易に設置することができる。
【００１８】
更に好ましくは、上記支柱は、階段の勾配方向に所定間隔を隔てて並列配置された複数の縦管を補強部材によって相互連結した複合構造の鋼製組立柱からなり、高さ調節可能なジャッキ式柱脚部を有する。   
【００１９】
好適には、上記横架材は、ラチス構造又はトラス構造の鋼製組立梁からなり、長さ調節可能な伸縮構造を有し、横架材の長さは、支柱の梁間方向スパンに相応して調節される。
【００２０】
他の観点より、本発明は、上記構成の階段仮設足場を既存階段又は既設階段に設置し、足場板の下側に階段の常用歩行通路を形成することを特徴とする階段天井部分の施工方法を提供する。
【００２１】
このような施工方法によれば、利用者不在の時間帯（深夜等）にのみ実施可能な階段天井の改修工事等において、利用者が階段を利用する時間帯においても階段仮設足場を存置することができるので、作業日毎に仮設足場を設置し且つ解体・撤去する非効率な作業を省くことが可能となる。
【発明の効果】
【００２２】
本発明に係る階段仮設足場によれば、階段天井の改修作業等の作業日毎に足場の設置作業及び解体・撤去作業を行なう必要性を解消し、しかも、作業性が良好な水平作業床を階段天井の下側に形成することができる。
【００２３】
また、上記構成の階段仮設足場を用いた階段天井部分の施工方法によれば、利用者不在の時間帯にのみ実施可能な階段天井の改修工事等において、作業日毎に仮設足場を設置し且つ解体・撤去する非効率な作業を省くことが可能となる。
【図面の簡単な説明】
【００２４】
【図１】図１は、鉄道の駅構内の既存階段等に設置された従来の階段仮設足場の構成を概略的に示す縦断面図である。
【図２】図２は、図１に示す階段仮設足場の概略正面図である。
【図３】図３は、本発明の好適な実施形態に係る階段仮設足場の構成を概略的に示す階段の縦断面図であり、階段仮設足場の支柱及び段付き斜行梁の部分拡大図を含む。
【図４】図４は、図１に示す階段仮設足場の概略正面図である。
【図５】図５は、図１に示す階段仮設足場の概略平面図である。
【発明を実施するための形態】
【００２５】
以下、添付図面を参照して、本発明の好適な実施形態について詳細に説明する。 
【００２６】
図３、図４及び図５は、本発明の好適な実施形態に係る階段仮設足場の構成を概略的に示す階段の縦断面図、正面図及び平面図である。図３は、階段仮設足場の支柱及び段付き斜行梁の部分拡大図を含む。
【００２７】
階段仮設足場１（以下、「足場１」という。）は、階段Ｓの踏面Ｓｆ（床面Ｆ１、Ｆ２を含む）に鉛直に立設された支柱２と、支柱２の頂部に架設された横架材３と、支柱２の頂部に架設された段付き斜行梁４（以下、「斜行梁４」という。）と、斜行梁４の段部に支承された足場板５とから構成される。足場板５は、例えば、枠組足場用の鋼製踏板からなる。
【００２８】
支柱２は、階段Ｓの左右の壁面Ｓｗに隣接して階段Ｓの側部帯域αに配置され、階段Ｓの勾配方向に間隔を隔てて足場１の桁方向に配列される。側部帯域αは、壁面Ｓｗから１ｍ以内、好ましくは、５０ｃｍ以内の範囲に設定される。支柱２の梁間方向スパン（柱間隔）Ｎは、階段Ｓの幅Ｗよりも若干小さい寸法に設定され、階段Ｓの中央帯域βには、支柱２等の歩行障害物が存在しない歩行可能空間が形成される。横架材３は、階段Ｓを横断するように階段Ｓの幅方向に配向され、支柱２の梁間方向スパンＮに亘って延在する。斜行梁４は、図３に矢印で示す階段Ｓの昇降通路方向に配向され、支柱２の桁行方向スパンＭに亘って階段勾配方向に延在する。
【００２９】
支柱２は、桁行方向に所定間隔を隔てて並列配置された一対の縦管２１と、高さ調節可能なジャッキ（扛重機）式の柱脚部２２と、縦管２１を一体的に連結する柱頭部２３とから構成される。縦管２１は、上下方向に所定間隔を隔てて配置された補強鋼材２８によって相互連結される。柱脚部２２のベースプレート２４は、階段Ｓの踏面Ｓｆ上に着座し、踏面Ｓｆによって支持される。ベースプレート２４から鉛直上方に延びる螺子部２５が、縦管２１を相互連結する基部２６に螺合し、基部２６に連結される。各縦管２１は、基部２６から鉛直上方に延び、柱頭部２３において相互連結される。このような複合構造の組立体からなる支柱２は、昇降通路方向に間隔（スパンＭ）を隔てて階段Ｓに立設され、柱頭部２３（又はその近傍）において縦管２１に連結された横架材３及び斜行梁４を支持する。
【００３０】
好ましくは、水平外力に対する足場１の剛性を向上すべく、壁面Ｓｗに支柱２を構造的に連繋又は連結する壁繋ぎ材等（図示せず）が、支柱２に間隔を隔てて配置される。更に好ましくは、階段Ｓの利用者が柱脚部２２に接触し、或いは、不測の外力又は衝撃等が脚部２２に作用するのを防止すべく、柱脚部２２は、合板、樹脂板、金属板等からなる仮設筐体２９（二点鎖線で図３の部分拡大図に示す）によって囲繞され又は保護される。所望により、階段Ｓの構造体に対するアンカー固定等の固定手段又は係留手段により、柱脚部２２を階段Ｓに固定又は係留しても良い。
【００３１】
横架材３は、上下の鋼管３１を斜材３２によって相互連結してなるラチス構造又はトラス構造の組立材からなる。横架材３は、長さ調節可能な伸縮構造を有する。両側の支柱２の間に延びる横架材３の長さは、支柱２の梁間方向スパンＮに相応して調節される。横架材３の各端部は、仮設工事用クランプ部材等の緊締具（図示せず）によって両側の支柱２の柱頭部２３（又はその近傍）に緊結される。
【００３２】
斜行梁４は、図３の部分拡大図に示すごとく、階段Ｓの勾配と同等又は同程度の勾配に傾斜した斜行鋼管４１と、斜行鋼管４１から一体的に上方に延びる複数の鋼製縦材４２と、鋼製縦材４２の間に架設された水平鋼管４３とから構成される。斜行鋼管４１は、壁面Ｓｗと平行に延び、鋼製縦材４２及び水平鋼管４３は、段状又は簓桁状の足場板支持体を斜行鋼管４１上に形成する。
【００３３】
斜行鋼管４１の各端部は、桁行方向に隣り合う支柱２の柱頭部２３（又はその近傍）に対し、仮設工事用クランプ部材等の緊締具４６によって緊結される。例えば、緊締具４６は、ブラケット４７に取付けられ、斜行梁４の端部に配設された突出部４８が、ボルト・ナット組立体等によってブラケット４７に連結される。
【００３４】
図４及び図５に示す如く、一対又は複数の小梁支持部材７が、横架材３の中間部分に支承され、段付き斜行小梁６（以下、「斜行小梁６」という。）の端部が小梁支持部材７に一体的に連結される。斜行小梁６及び小梁支持部材７は、階段Ｓの幅方向に間隔を隔てて配置される。斜行小梁６は、斜行梁４と実質的に同じ構成を有する。即ち、斜行小梁６は、図３の部分拡大図に括弧書き符号で示すように、階段Ｓの勾配と同等又は同程度の勾配に傾斜した斜行鋼管６１と、斜行鋼管６１から一体的に上方に延びる複数の鋼製縦材６２と、鋼製縦材６２の間に架設された水平鋼管６３とから構成される。斜行鋼管６１の各端部は、小梁支持部材７に一体的に連結される。斜行鋼管６１は、壁面Ｓｗ及び斜行鋼管４１と平行に延び、鋼製縦材６２及び水平鋼管６３は、斜行鋼管６１の上側に段状又は簓桁状の足場板支持体を形成する。
【００３５】
図５に示す如く、斜行梁４及び斜行小梁６は、足場板５の支点間距離だけ階段Ｓの幅方向に間隔を隔てて配置される。足場板５の両端部に設けられた足場板係止用フック部５２が、各段の水平鋼管４３、６３に係止され、これにより、階段Ｓの幅方向に敷設される。図３の部分拡大図に示すように、各水平鋼管４３、６３は、足場板本体５１の幅Ｂ'よりも僅かに大きい長さＢを有する。鋼製縦材４２、６２は、蹴込み面（踏面側の面）に一体的に取付けられた縦方向の鋼製帯板４４、６４を有する。鋼製帯板４４、６４は、水平鋼管４３、６３の端面を溶接手段等によって固着可能な鋼製縦材４２、６２の鋼管支持面又は鋼管接合面を構成する。鋼製帯板４４、６４の上端部は、上段側の水平鋼管４３、６３から鉛直上方に僅かに突出し、フック部５２が水平鋼管４３、６３から下段側に脱落又は変位するのを阻止する。所望により、各段の足場板５の隙間（蹴込み部分）を埋める蹴込み板状の起立板５５（図３の部分拡大図に破線で示す）が各段の足場板５上に配設される。
【００３６】
なお、図３に破線で示す如く、足場１上の作業の安全性を確保するための手摺９０が、足場１の両端部に設けられる。例えば、手摺９０は、仮設工事用クランプ部材等の緊締具によって足場用単管を横架材３に組付けることにより設置される。また、図３に破線で示す如く、作業者の昇降用の梯子９１が、足場１の端部において適所に配置される。
【００３７】
かくして斜行梁４及び斜行小梁６の各段の支承された足場板５は、階段状の作業床を階段Ｓの上部空間全域に形成する。所望により、足場板８（図４及び図５に一点鎖線で示す）が、左右の足場板５を架橋するように敷設され、これにより、階段Ｓの幅方向に実質的に連続する階段状の作業床が形成される。既存階段Ｓの天井構造体Ｃを補修又は改修する作業者等は、足場板５上に載り、予定された改修作業等を遂行することができる。
【００３８】
このような構成の足場１によれば、斜行梁４及び斜行小梁６が階段勾配と同等又は同程度の勾配で全体的に傾斜しているので、例えば、既存階段Ｓの天井高Ｈが４ｍであるとき、足場板５の高さｈ（階段Ｓの踏面Ｓｆから足場板５までの最小鉛直距離）を約２．１〜２．７ｍ程度に設定することができる。しかも、足場１は、階段Ｓの両側部分に支柱２を備えるにすぎず、従って、階段Ｓの中央帯域βには、利用者に歩行を妨げる支柱等の障害物が存在しない常用可能な通路が形成される。このため、足場１の下側の空間は、公共交通機関や公共施設等の利用時間帯に利用者の常用歩行通路として使用することができる。
【００３９】
以上、本発明の好適な実施例について詳細に説明したが、本発明は上記実施例に限定されるものではなく、特許請求の範囲に記載された本発明の範囲内で種々の変形又は変更が可能であることはいうまでもない。 
【００４０】
例えば、本発明の階段仮設足場は、側壁を有する駅構内等の直階段のみならず、折曲がり階段、折返し階段、踊り場付き階段等の各種形態の階段や、地下街等に設けられた階段、或いは、手摺のみを有する開放型の階段等において使用することができる。
【００４１】
また、本発明の足場装置は、既存階段の改修工事等のみならず、建物等の新築工事又は新設工事における階段の施工において使用しても良い。
【産業上の利用可能性】
【００４２】
本発明は、階段の天井部分の施工のための階段仮設足場に適用される。本発明は殊に、既存階段の天井の下地材、天井材、電気設備等を補修又は改修する改修工事等のために既存階段等に設置される階段仮設足場に好ましく適用される。本発明の階段仮設足場によれば、階段天井の改修作業等の作業日毎に足場の設置作業及び解体・撤去作業を行なう必要性を解消するとともに、作業性が良好な水平作業床を形成することができるので、その実用的効果は、顕著である。
【符号の説明】
【００４３】
１  階段仮設足場
２  支柱
３  横架材
４  段付き斜行梁
５  足場板
６  斜行小梁
７  小梁支持部材
Ｓ  既存階段
Ｃ  天井構造体
Ｓｗ  壁面
Ｗ  階段の幅
Ｎ  支柱の梁間方向スパン
Ｍ  支柱の桁行方向スパン
Ｓｆ  踏面
Ｓｋ  蹴込み面
α  側部帯域
β  中央帯域
【図１】
2016204982.tif 000003
【図２】
2016204982.tif 000004
【図３】
2016204982.tif 000005
【図４】
2016204982.tif 000006
【図５】
2016204982.tif 000007